(57)【特許請求の範囲】
【請求項１】
加熱により消色する色材を用いて、シート上に像を形成する画像形成装置と、
前記画像形成装置から出力されたシート上の像を、加熱により消色して消去する消去機と、
前記画像形成装置での像形成時の設定によるシート削減枚数に基づき、前記画像形成装置の使用による環境負荷削減量を算出し、前記消去機の消去したシート枚数に基づき、前記消去機の使用による環境負荷削減量を算出する第１の装置と、
前記第１の装置で算出される、前記画像形成装置の環境負荷削減量と前記消去機の環境負荷削減量とを同時に表示する表示部と、
を有する画像処理システム。
【請求項２】
請求項１に記載の画像処理システムであって、
前記第１の装置は、さらに、前記画像形成装置の環境負荷削減量と前記消去機の環境負荷削減量の合算値を算出し、
前記表示部は、前記合算値も同時に表示する画像処理システム。
【請求項３】
請求項１または２に記載の画像処理システムであって、
前記表示部は、前記画像形成装置に備えられる表示部、または前記消去機に備えられる表示部のいずれか一方または両方である画像処理システム。
【請求項４】
請求項１乃至３のいずれか１項に記載の画像処理システムであって、
さらに、前記画像形成装置および前記消去機を操作するユーザの認証を行う認証部を有し、
前記表示部は、認証画面を表示し、前記認証部での認証が良好である場合、前記認証画面の次に前記環境負荷削減量の表示を行う画像処理システム。
【請求項５】
請求項４に記載の画像処理システムであって、
前記第１の装置は、前記画像形成装置の使用による環境負荷削減量と、前記消去機の使用による環境負荷削減量とを、前記画像処理システムを使用するユーザごとに算出し、
前記表示部は、前記認証が完了したユーザについての環境負荷削減量を表示する画像処理システム。
【請求項６】
請求項１乃至５のいずれか１項に記載の画像処理システムであって、
前記環境負荷削減量は、二酸化炭素の排出削減量である画像処理システム。
【請求項７】
請求項１乃至６のいずれか１項に記載の画像処理システムであって、
前記第１の装置は、さらに、前記画像形成装置のシート使用枚数と、前記画像形成装置の両面印刷設定および集約印刷設定のいずれか一方または両方によるシート削減枚数とに基づき、前記画像形成装置のシート削減率を算出し、
前記表示部は、さらに、前記シート削減率を表示する画像処理システム。
【請求項８】
請求項１乃至７のいずれか１項に記載の画像処理システムであって、
前記第１の装置は、さらに、前記画像形成装置のシート使用枚数と、前記消去機で消去されたシート枚数とに基づき、シート再利用率を算出し、
前記表示部は、さらに、前記シート再利用率を表示する画像処理システム。
【請求項９】
請求項５に記載の画像処理システムであって、
前記第１の装置は、さらに、前記画像形成装置の両面印刷設定によるシート削減枚数と、集約印刷設定によるシート削減枚数と、前記消去機で消去されたシート枚数とに基づき、前記画像処理システムを使用するユーザの順位を算出し、
前記表示部は、さらに、前記ユーザの順位を表示する画像処理システム。
【請求項１０】
請求項１乃至９のいずれか１項に記載の画像処理システムであって、
前記第１の装置は、さらに、前記環境負荷削減量の値に応じて表情が変わるキャラクターの画像データを選定し、
前記表示部は、前記選定された画像データも同時に表示する画像処理システム。
【請求項１１】
表示用のレイアウトデータを記憶する記憶部と、
加熱により消色する色材を用いてシート上に像を形成する画像形成装置の、像形成時の設定に関する情報を含んだ第１情報と、前記画像形成装置から出力されたシート上の像を加熱により消色して消去する消去機の、消去したシート枚数の情報を含んだ第２情報とを受信する通信部と、
第１情報に含まれる、像形成時の設定に関する情報から導出されるシート削減枚数に基づき、画像形成装置の使用による環境負荷削減量を算出し、第２情報に含まれる、消去したシート枚数の情報に基づき、消去機の使用による環境負荷削減量を算出し、算出した消去機の環境負荷削減量と画像形成装置の環境負荷削減量とが同時に表示されるように、前記記憶部に記憶されているレイアウトデータに前記それぞれの環境負荷削減量の値を配置して表示用データを作成し、該作成された前記表示用データを、前記画像形成装置または前記消去機の表示部に表示させるように、前記通信部を介して前記画像形成装置または前記消去機に提供する制御部と、
を有する情報提供装置。
【請求項１２】
画像形成装置が、加熱により消色する色材を用いて、シート上に像を形成し、
消去機が、前記画像形成装置から出力されたシート上の像を、加熱により消色して消去し、
第１の装置が、画像形成装置での像形成時の設定によるシート削減枚数に基づき、前記画像形成装置の使用による環境負荷削減量を算出し、消去機の消去したシート枚数に基づき、前記消去機の使用による環境負荷削減量を算出し、
画像形成装置および消去機のいずれか一方または両方が、前記第１の装置で算出される、前記消去機の環境負荷削減量と前記画像形成装置の環境負荷削減量とを同時に表示する
情報提供方法。
【発明の詳細な説明】
【技術分野】
【０００１】
この明細書に記載の実施形態は、消去可能なトナーで像形成する画像形成装置と、シート上のトナーを消去する消去機とを有する画像処理システムに関する。
【背景技術】
【０００２】
従来、加熱処理によりシート上の像を消去する消去機が知られている。
【０００３】
また、両面／片面の設定やシートの一方面に複数ページ印刷する集約機能（以下、必要に応じＮｉｎ１と称する）の設定により、環境負荷をどの程度削減できたかを表示するシステムがある。
【０００４】
また、以下の技術が開示されている。
【先行技術文献】
【特許文献】
【０００５】
【特許文献１】特開２００６−２１４１４号公報
【特許文献２】特開２００８−４６１５９号公報
【発明の概要】
【発明が解決しようとする課題】
【０００６】
従来の表示方法は、消去機による再利用を考慮した削減量を提示していないため、的確な環境負荷削減量をユーザに提示していない。
【０００７】
本実施形態は上述した問題点を解決するためになされたものであり、的確な環境負荷削減量をユーザに提示し、ユーザの環境影響負荷についての意識の向上を図る技術を提供することを目的とする。
【課題を解決するための手段】
【０００８】
実施形態の画像処理システムは、画像形成装置と、消去機と、第１の装置と、表示部とを有する。画像形成装置は、加熱により消色する色材を用いて、シート上に像を形成する。消去機は、画像形成装置から出力されたシート上の像を、加熱により消色して消去する。第１の装置は、画像形成装置での像形成時の設定によるシート削減枚数に基づき、画像形成装置の使用による環境負荷削減量を算出し、消去機の消去したシート枚数に基づき、消去機の使用による環境負荷削減量を算出する。表示部は、第１の装置で算出される、画像形成装置の環境負荷削減量と消去機の環境負荷削減量とを同時に表示する。
【０００９】
また実施形態の情報提供装置は、記憶部と、通信部と、制御部とを有する。記憶部は、表示用のレイアウトデータを記憶する。通信部は、加熱により消色する色材を用いてシート上に像を形成する画像形成装置の、像形成時の設定に関する情報を含んだ第１情報と、画像形成装置から出力されたシート上の像を加熱により消色して消去する消去機の、消去したシート枚数の情報を含んだ第２情報とを受信する。制御部は、第１情報に含まれる、像形成時の設定に関する情報から導出されるシート削減枚数に基づき、画像形成装置の使用による環境負荷削減量を算出し、第２情報に含まれる、消去したシート枚数の情報に基づき、消去機の使用による環境負荷削減量を算出し、算出した消去機の環境負荷削減量と画像形成装置の環境負荷削減量とが同時に表示されるように、記憶部に記憶されているレイアウトデータにそれぞれの環境負荷削減量の値を配置して表示用データを作成する。
【図面の簡単な説明】
【００１０】
【図１】画像形成装置の構成例を示すブロック図である。
【図２】消去機の構成例を示すブロック図である。
【図３】第１の実施形態の画像処理システムの構成例を示す図である。
【図４】画像形成装置が出力する動作ログを示す図である。
【図５】図５Ａは、画像形成装置の機能別集計値の一例を示す図である。図５Ｂは、画像形成装置のカラー／ブラック／２色それぞれの集計例を示す図である。図５Ｃは、画像形成装置の両面／片面設定別での集計例を示す図である。図５Ｄは、画像形成装置の集約設定別の集計例を示す図である。
【図６】消去機が出力する動作ログの一例を示す図である。
【図７】消去機の集計例を示す図である。
【図８】分析サーバでの集計の一例を示す図である。
【図９】シートサイズごとの換算係数の一例を示す図である。
【図１０】画像処理システムの動作例を示す図である。
【図１１】ユーザ認証用画面と、ユーザ認証が終了した後の分析レポートの表示例である。
【図１２】詳細画面の一例を示す図である。
【図１３】通常のメニュー画面の一例を示す図である。
【図１４】図１４Ａは、ユーザ認証用画面の一例である。図１４Ｂは、認証後に表示される待ち受け画面（分析レポート画面）の一例を示す図である。図１４Ｃは、消去処理中の表示例である。図１４Ｄは、消去処理結果の表示例である。
【図１５】図１５Ａは、リジェクト、リユースの月別の集計値の表示例である。図１５Ｂは、リジェクトの内訳およびアドバイスの表示例を示す図である。図１５Ｃは、動作状況の表示例を示す図である。
【図１６】図１６Ａは、消去機のレベル設定画面例を示す図である。図１６Ｂは、消去機の読み込み設定画面例を示す図である。
【図１７】第２の実施形態の画像処理システムの構成例を示す図である。
【図１８】第３の実施形態の画像処理システムの構成例を示す図である。
【発明を実施するための形態】
【００１１】
以下の各実施形態では、画像形成装置の印刷設定による環境負荷削減量と、消去機でのトナー消去による環境負荷削減量とを１つの画面に同時に表示し、またこれらの環境負荷削減量を合算した値を表示するシステムについて説明する。尚、以下の各実施形態で説明するシステムは、環境負荷削減量の一例としてＣＯ２排出削減量を表示する。
【００１２】
（第１の実施形態）
図１は、画像形成装置の構成を示すブロック図である。画像形成装置２０は、コピー、プリンタ、原稿スキャン、ＦＡＸ送受信が行えるＭＦＰ（Multifunction Peripheral）であり、消色可能なトナー（色材）を用いてシート上に像を形成する。使用されるトナーは、像形成時の熱よりも高温の熱が加わることで消色するトナーである。また以降の説明では、この画像形成装置２０をＥＣＯ−ＭＦＰ２０と称する。
【００１３】
ＥＣＯ−ＭＦＰ２０は、装置内のハードウェアを統括制御し、プログラムを演算実行するプロセッサである制御部２０１、および、プログラムや各種パラメータ値、処理対象の画像データなどを記憶する記憶部２０２を有する。制御部２０１は、例えばＣＰＵ（Central Processing Unit）やＭＰＵ（Micro Processing Unit）であり、記憶部２０２は、揮発性の記憶装置である主記憶装置、不揮発性の記憶装置である補助記憶装置により構成される。ＥＣＯ−ＭＦＰ２０の制御の一部は、記憶部２０２に記憶されているプログラムが制御部２０１により演算実行されて行われる。
【００１４】
シート供給カセット２０５は、紙媒体のシートを格納するカセットであり、シート搬送部２０４にシートを供給する給紙ローラや、シート格納用の筺体を含んだ構成となっている。シート搬送部２０４は、複数のローラ対や搬送ベルトを有し、シート供給カセット２０５から供給されるシートをプリンタ部２０３まで搬送する。
【００１５】
ＡＤＦ２０６は、自動給紙装置（Auto Document Feeder）であり、トレイ上に配置される原稿を１枚ずつスキャナ部２０７の透過ガラスボードの上に搬送する。スキャナ部２０７は、搬送される原稿の像を読み取る装置であり、透過ガラスボード上の原稿に可視光を照射し、その反射光を複数のミラーを経由してＣＣＤイメージセンサ（Charge Coupled Device Image Sensor）に結像させることで、紙媒体のデータを電子データに変換する。このようにして得られた電子データ（画像データ）は、記憶部２０２に記憶される。
【００１６】
外部Ｉ／Ｆ２１３（Ｉ／Ｆ：Interface）は、ＬＡＮ（Local Area Network）ボードを含み、外部装置との間でデータの送受信を制御する。外部Ｉ／Ｆ２１３は、制御部２０１の制御に従い、例えば印刷対象の画像データを受信し、後述の環境負荷削減量に関する分析レポート（表示用データ）を受信し、また自己の動作ログ、使用状況のデータ等を外部の装置に送信する。
【００１７】
画像処理部２０８は、記憶部２０２に記憶されている印刷対象の画像データを取得し、当該画像データがテキストベースの画像であるか、写真等の画像であるかの判定や、領域判定を行う。また画像処理部２０８は、取得した画像データに対しハーフトーン処理等の画像処理を行う。画像処理部２０８は、画像処理に特化した専用ボード（例えばＡＳＩＣ（Application Specific Integrated Circuit）での実装）であるものとするが、制御部２０１のハードウェアリソースが流用されてもよい。
【００１８】
プリンタ部２０３は、シート搬送部２０４により搬送されるシート上に、画像処理部２０８により処理された画像を形成するユニットである。プリンタ部２０３は、ドラムに収容されている消去可能なトナー（以下、必要に応じ消去トナーと称す）をシートに転写し、一定温度の熱を加えて結像する。結像後のシートは、不図示の排出トレイに出力される。
【００１９】
ＩＤカードリーダ２０９（ＩＤ：identification）は、ユーザが携帯しているＩＤカードを読み取るＩＣリーダ装置（ＩＣ：integrated circuit）である。読み取りは接触、非接触のいずれでも構わない。認証処理は、ＥＣＯ−ＭＦＰ２０内部に実装された認証部や外部装置に備えられる認証部が、ＩＤカードの読み取り値と事前に登録されている値とを比較することで行われる。この認証結果が良好である場合、ユーザはＥＣＯ−ＭＦＰ２０を操作することができる。尚、ＥＣＯ−ＭＦＰ２０内部で認証処理が行われる場合、当該認証部は、ＩＤカードリーダ２０９と制御部２０１、および事前に記憶部２０２に記憶されている認証プログラムによって構成される。
【００２０】
タッチパネル式操作部２１０、ボタン式操作部２１１は、印刷枚数や印刷設定等をユーザから取得する入力装置である。タッチパネル式操作部２１０は、表示装置（後述の表示部２１２）上に配置されるタッチパネルを含み、ユーザの指先もしくはペン先の押下を、抵抗膜方式や赤外線方式等により検知し、検知位置（座標情報）を取得する。ボタン式操作部２１１は、例えばテンキーボード、スタートボタン等の物理ボタンを含み、ボタン押下を検知する。
【００２１】
表示部２１２は、ユーザに処理進行状況や装置のステータス、使用履歴等を表示する装置であり、またタッチパネル式操作部２１０のためのボタン画像等、操作用のオブジェクトや表示用のオブジェクトを表示する。また表示部２１２は、シートの使用状況やリユース状況、ＣＯ２排出削減量を表示する。
【００２２】
図２は、消去機の構成例を示すブロック図である。消去機３０は、ＥＣＯ−ＭＦＰ２０により印刷されたシート上に形成されている消去トナーを、シートを加熱することで無色にする装置である。消去機３０は、プロセッサを含む制御部３０１、揮発性記憶装置、不揮発性記憶装置を含む記憶部３０２、ＬＡＮボードを含む外部Ｉ／Ｆ３１３を有する。また消去機３０は、ＩＤカードリーダ３０９、タッチパネル式操作部３１０、ボタン式操作部３１１、表示部３１２を有する。これらは、ＥＣＯ−ＭＦＰ２０のものと同等機能であるとする。
【００２３】
リユースシート供給カセット３０３は、再利用対象のシート、すなわち、ＥＣＯ−ＭＦＰ２０により消去トナーで印刷されたシートを搭載するためのカセットである。リユースシートスタックカセット３０４は、消去部３０７によってトナーが消去（無色化）され、再利用可能と判定されたシートを蓄積するカセットである。リジェクトシートスタックカセット３０５は、消去不備のシートや、折れ、破れのあるシート、パンチ穴のあるシート等、再利用に適さないと判定されるシートを蓄積するカセットである。
【００２４】
消去部３０７は、リユースシート供給カセット３０３に搭載されているシートを、消去トナーが無色となる温度で加熱する。消去可否判定部３０６は、消去部３０７で処理されたシートが無色になっているか否かを判定する。消去可否判定部３０６は、例えば、消去部３０７の処理後のシートをラインセンサやＣＣＤイメージセンサを用いてスキャンして、シートの画像データを生成し、当該画像データの各画素値と所定の閾値（ユーザにより設定可能な閾値）とを比較することで、無色になっているか否かを判定する。
【００２５】
リユース判定部３０８は、シートが再利用可能であるか否かを判定するユニットであり、シートの破れや破損状態を判定し、また消去可否判定部３０６による判定結果を受けて、当該シートが再利用可能か否かを判定する。リユース判定部３０８の判定結果が良好である場合、当該シートはリユースシートスタックカセット３０４まで搬送される。一方判定結果が不良である場合、当該シートはリジェクトシートスタックカセット３０５に搬送される。リユース判定部３０８は、再利用可能と判定したシートの枚数を記憶部３０２にログ出力し、再利用不可のシートについては不良種別毎の枚数を記憶部３０２にログ出力する。
【００２６】
図３は、第１の実施形態の画像処理システムの構成例を示す図である。画像処理システム１は、分析サーバ１０（第１の装置、情報提供装置）、ＥＣＯ−ＭＦＰ２０、消去機３０、および複数のクライアント端末機５０Ａ〜５０Ｎを有し、これら各装置がＬＡＮ６００で接続されている。
【００２７】
ＥＣＯ−ＭＦＰ２０は、プリントやコピーなどの動作を行った際のジョブ情報を、動作ログとして記憶部２０２に記憶する。図４に、ＥＣＯ−ＭＦＰ２０の動作ログの一例を示す。ＥＣＯ−ＭＦＰ２０は、自機のシリアル番号、ジョブを投入したユーザＩＤ、処理開始日時、処理終了日時、使用した機能（プリント、コピー等）、カラー別（フルカラー／ブラック／２色）、シートサイズを１つのレコードに含めて記録する。またＥＣＯ−ＭＦＰ２０は、両面／片面設定や集約設定、コピー時の入力面数、それに対して実際に出力された印刷枚数、印刷面数などの情報を記録する。
【００２８】
両面／片面設定や集約設定の各値により、削減された枚数や面数が算出可能となる。例えば、動作ログのＮｏ．２では、両面／片面設定はSimplex（片面）、集約設定が１（集約無し）であるため、全く削減されず、入力面数３に対して、出力枚数も印刷面数も３である。一方Ｎｏ．６では、両面設定はDuplex（両面）、集約設定は２（２面を１面に縮小。２ｉｎ１）のため、入力面数４面に対して、印刷枚数は１枚（３枚削減）、印刷面数は２面（２面削減）となる。
【００２９】
またＥＣＯ−ＭＦＰ２０は、実行ジョブを処理別に累積して集計する。図５Ａ〜図５Ｄの各図は、集計されたカウンタ情報の一例である。ＥＣＯ−ＭＦＰ２０は、コピー、プリント、スキャン、ＦＡＸ送信、ＦＡＸ受信の機能毎に出力面数を集計し（図５Ａ）、またカラー／ブラック／２色の別（図５Ｂ）、両面／片面の別（図５Ｃ）、集約種別ごとの集計値（図５Ｄ）を、機能毎に集計し、記憶部２０２に記憶する。
【００３０】
消去機３０は、消去動作を行った際のジョブ情報や処理結果を動作ログとして記憶部３０２に記憶する。図６は、消去機３０の動作ログの一例を示す図である。消去機３０は、自機のシリアル番号、ユーザＩＤ、開始日時や終了日時、シートサイズを１つのレコードに含めて記憶する。また消去機３０は、処理対象のシートの枚数（投入枚数）、消去に成功した枚数（リユース枚数）を記憶し、消去に失敗したシートについてはその原因毎の枚数を記録する。失敗原因の内訳としては、消し残り、折れ／破れ、残留物、その他となり、消去機３０のリユース判定部３０８は、これらに該当する枚数を記憶部３０２に記憶させる。
【００３１】
消去機３０は、図６に示す各シート枚数を累積し、集計して記憶する。図７は、集計されたカウンタ情報の一例である。消去機３０のリユース判定部３０８は、投入枚数やリユース枚数、失敗原因毎の枚数の累積値を記憶部３０２に記憶する。リユース失敗枚数の内訳としては、動作ログの出力と同様に、消し残り枚数、折れ／破れ枚数、残留物枚数、その他の枚数となる。
【００３２】
分析サーバ１０は、ＥＣＯ−ＭＦＰ２０の動作ログ、カウンタ情報、消去機３０の動作ログ、カウンタ情報を収集し、環境負荷削減量に関する情報を算出する。また分析サーバ１０は、環境負荷削減量をユーザに提示するための画面レイアウトを生成する。画面レイアウトについては後述する。分析サーバ１０は、図３に示すように、ＬＡＮ６００を介して外部との通信を制御する通信Ｉ／Ｆ１０１（通信部）、演算処理装置であるプロセッサ１０２（制御部）、主記憶装置であるＲＡＭ１０３（ＲＡＭ：Random Access Memory）、補助記憶装置であるＨＤＤ１０４（ＨＤＤ：Hard disk drive）（記憶部）を有するコンピュータである。また以下に説明する分析サーバ１０の機能は、ＨＤＤ１０４に事前に記憶されているプログラムがＲＡＭ１０３にロードされ、プロセッサ１０２がプログラムを演算実行し、また各ハードウェアリソースと協働することで実現される。
【００３３】
分析サーバ１０がＥＣＯ−ＭＦＰ２０と消去機３０に定期的に（例えば１０分間隔）で問い合わせ、もしくは、定期的にＥＣＯ−ＭＦＰ２０と消去機３０が分析サーバ１０に動作ログとカウンタ情報を送信することで、通信Ｉ／Ｆ１０１は動作ログとカウンタ情報を受信する。受信されたデータはＨＤＤ１０４のログＤＢ１０６に記録される。または、ジョブ発生時に、ＥＣＯ−ＭＦＰ２０もしくは消去機３０が分析サーバ１０に動作ログとカウンタ情報とを送信することで、通信Ｉ／Ｆ１０１は動作ログとカウンタ情報を受信する。受信されたデータはログＤＢ１０６に記憶される。分析サーバ１０のプロセッサ１０２は、ログＤＢ１０６のデータが更新されたタイミングで、または予め設定された時刻（例えば０時）や時間間隔（例えば１０分間隔）で、環境負荷削減量の分析処理を実行し、分析結果ＤＢ１０５に結果を記憶させる。
【００３４】
図８は、分析結果ＤＢ１０５に記録されるデータの一例を示す図である。分析サーバ１０は、図８に示すように、ユーザ毎、月単位で集計ログＤＢ１０６内のデータを集計し、環境負荷削減量を算出する。分析サーバ１０は、ＥＣＯ−ＭＦＰ２０、消去機３０それぞれについてのＣＯ２排出削減量を算出し、その合算値（ＣＯ２総削減量）を算出する。また分析サーバ１０は、ＥＣＯ−ＭＦＰ２０についてのシート削減率、両面削減率、集約削減率を少なくとも算出し、消去機３０についての再利用率を算出する。
【００３５】
分析サーバ１０は、総合得点（後述）が最も多いユーザを第１位、次に多いユーザを第２位、という順序となるように、ユーザごとにランク付けを行う（図８の「順位」欄参照）。
【００３６】
ここで、各数値の算出方法について説明する。分析サーバ１０のプロセッサ１０２は、以下の計算をユーザ毎や機器毎、月単位で集計して演算すものとするが、日単位や企業内のグループごと等、さまざまな単位で集計し、算出してもよい。尚、以下の算出方法はあくまで一例である。
【００３７】
まず、ＥＣＯ−ＭＦＰ２０に関しての各数値の算出方法を説明する。プロセッサ１０２は、まずＡ４のシートサイズに換算した印刷枚数を算出する。図９にＡ４換算表の一例を示す。プロセッサ１０２は、ＥＣＯ−ＭＦＰ２０の動作ログからシートサイズ、印刷枚数（x1）を取得し、ＨＤＤ１０４に事前に記憶されている図９の換算表を用いて、Ａ４換算係数（Asize）を取得する。印刷枚数（y1）は、１ジョブの印刷枚数（x1）にＡ４換算係数（Asize）をかけた値の和となる（式１参照）。
y1 = Σ( Asize × x1 )      （式１）
【００３８】
両面削減率の算出について説明する。両面削減率は、両面／片面設定によって削減されたシート枚数の割合となる。まず、プロセッサ１０２は、Ａ４サイズに換算したシート面数を算出する。印刷枚数の計算と同様に、プロセッサ１０２は、画像形成装置のログ情報のサイズからシートサイズ、印刷面数（x2）を取得し、Ａ４換算係数（Asize）を取得する。印刷面数（y2）は、１ジョブの印刷面数（x2）にＡ４換算係数（Asize）をかけた値の和となる（式２参照）。
y2 = Σ( Asize × x2 )      （式２）
【００３９】
両面による削減枚数（zduplex）は、１ジョブの印刷面数（x2）から１ジョブの印刷枚数（x1）を引いた値にＡ４換算係数（Asize）をかけた値の和となる（式３参照）。両面削減率（rduplex）は、両面による削減枚数（zduplex）を印刷面数（y2）で割った値となる（式４参照）。
zduplex= Σ(Asize× ( x2 −x1 ) )      （式３）
rduplex= zduplex ÷ y2      （式４）
【００４０】
次に集約削減率の算出について説明する。集約削減率は、集約設定によって削減されたシート枚数の割合である。まず、Ａ４サイズに換算した原稿数を算出する。本実施形態では集約設定を元に原稿数を試算するが、原稿数が得られている場合はその積算値を用いても良い。プロセッサ１０２は、ＥＣＯ−ＭＦＰ２０の動作ログの集約設定から、集約された値（aNin1）を取得する。この値は、例えば集約をしない場合は１、２面を１面に集約する２ｉｎ１の場合は２となる。また、分析サーバ１０は、シートサイズからＡ４換算係数（Asize）を取得し、集約値（aNin1）とＡ４換算係数（Asize）、１ジョブの印刷面数（x2）を積算した値を原稿数（y3）とする（式５参照）。
y3 = Σ( Asize × aNin1 × x2 )       （式５）
また、集約による削減枚数（zNin1）は、１ジョブの原稿枚数から１ジョブの印刷面数（x2）を引いた値となり、式６のようになる。
zNin1= Σ(Asize× ( aNin1 − 1 ) × x2 )       （式６）
そして、集約削減率（rNin1）は、集約による削減枚数（zNin1）を原稿数（y3）で割った値になる（式７参照）。
rNin1= zNin1 ÷ y3       （式７）
【００４１】
シート削減率は、両面／片面設定と集約設定によって削減されたシート枚数の割合である。両面／片面設定による削減枚数（zduplex）と集約による削減枚数（zNin1）を足した値を、原稿数（y3）で割った値が、シート削減率（rprint）となる。
rprint= ( zduplex + zNin1 ) ÷ y3       （式８）
【００４２】
ＣＯ２排出削減量は、削減したシートによって節約できたＣＯ２の量（グラム単位）となる。シート１枚あたりのＣＯ２排出量をAco2とすると、式９に示すように、両面／片面設定による削減枚数（zduplex）と集約による削減枚数（zNin1）を足した値にAco2をかけた値がＣＯ２排出削減量（cprint）となる。シート１枚あたりのＣＯ２排出量（Aco2）は、例えば６．０１８２ｇといった値が採用される。
cprint= (zduplex + zNin1 ) × Aco2       （式９）
【００４３】
次に消去機３０に関しての各数値の算出方法を説明する。再利用枚数は、消去機３０で印刷面の消去に成功したシート枚数をＡ４サイズに換算した値となる。消去機３０は、動作ログのサイズからシートサイズを取得し、図９に示す換算表からＡ４換算係数（Asize）を取得する。そして、動作ログ内の１ジョブのリユース枚数（x4）にＡ４換算係数（Asize）をかけた値の和が再利用枚数（zreuse）となる（式１０参照）。
zreuse= Σ( Asize× x4 )      （式１０）
【００４４】
再利用率の算出について説明する。再利用率（rreuse）は、印刷した枚数に対してシートをどの程度再利用したかの割合であり、再利用枚数（zreuse）を印刷枚数（y1）で割った値になる（式１１参照）。
rreuse= zreuse ÷ y1      （式１１）
【００４５】
また、印刷枚数（y1）が０である場合の再利用率（rreuse）の導出について説明する。印刷枚数（y1）が０である場合において、再利用枚数（zreuse）が０よりも大きい場合、本実施形態では再利用率（rreuse）を９９９％とする。もちろん、９９９％とは限らず、０〜１００以外の値であれば他の数値でもよい。また、印刷枚数（y1）が０である場合において、再利用枚数（zreuse）が０の場合、本実施形態では再利用率（rreuse）は０％となる。
ＣＯ２排出削減量は、再利用可能なシートによって節約できたＣＯ２の量（グラム単位）である。シート１枚あたりのＣＯ２排出量をAco2（上記同様に例えば６．０１８２ｇ）とすると、式１２のように、再利用枚数（rreuse）にAco2をかけた値がＣＯ２排出削減量（creuse）となる。
creuse= zreuse × Aco2      （式１２）
【００４６】
次にユーザの順位について説明する。順位は総合得点（stotal）を基に導出される（総合得点が高いほど高順位になる）。総合得点（stotal）は、両面による削減枚数（zduplex）、集約による削減枚数（zNin1）、再利用枚数（zreuse）を足した値を原稿数（y3）で割った値になる（式１３参照）。
stotal= (zduplex + zNin1 + zreuse) ÷ y3       （式１３）
【００４７】
また、印刷枚数（y1）が０である場合の総合得点（stotal）を算出する方法について説明する。印刷枚数（y1）が０である場合において、再利用枚数（zreuse）が０よりも大きい場合、本実施形態は、総合得点（stotal）に再利用枚数（zreuse）を代入する。また、印刷枚数（y1）が０である場合において、再利用枚数（zreuse）が０である場合、本実施形態は総合得点（stotal）を−１とし、当該ユーザの順位はランク外となる。
【００４８】
このように集計、計算された環境負荷削減量に関するデータは、ユーザがＥＣＯ−ＭＦＰ２０、消去機３０を使用する際に表示部２１２、表示部３１２に表示される。
【００４９】
図１０は、ユーザがＥＣＯ−ＭＦＰ２０、または消去機３０を使用した時に、環境負荷削減量に関する分析レポート（以下、単に分析レポートと称する）を表示する処理例を示すフローチャートである。図１０の説明では、ユーザはＥＣＯ−ＭＦＰ２０を使用するものとするが、消去機３０であってもよい。
【００５０】
まずＩＤカードリーダ２０９は、ユーザが所持しているＩＤカードからユーザ固有のＩＤを読みとり、認証を行う（ＡＣＴ１０１）。第１の実施形態ではＥＣＯ−ＭＦＰ２０内の記憶部２０２に事前に登録されているＩＤ情報と一致しているかで認証判定が行われる。タッチパネル式操作部２１０もしくはボタン式操作部２１１からユーザＩＤ、パスワードを入力させる方式でもよい。
【００５１】
ユーザ認証が良好である場合（ＡＣＴ１０１、Ｙｅｓ）、制御部２０１は、外部Ｉ／Ｆ２１３を介してユーザＩＤおよび分析レポートの要求電文を分析サーバ１０に送信し（ＡＣＴ１０２）、分析レポートのデータを受信するまで待機する（ＡＣＴ１０３、Ｎｏのループ）。
【００５２】
分析サーバ１０は、この分析レポートの表示処理とは非同期で上記通りの分析処理（算出処理）を行う（ＡＣＴ２１０）。
【００５３】
ＥＣＯ−ＭＦＰ２０から分析レポートの要求電文を受信する場合（ＡＣＴ２０１、Ｙｅｓ）、プロセッサ１０２は、該当するユーザＩＤのデータを分析結果ＤＢ１０５から取得し（ＡＣＴ２０２）、分析レポートを作成する（ＡＣＴ２０３）。プロセッサ１０２は、ＨＤＤ１０４に事前に記憶されている表示用レイアウトデータ（本実施形態ではＨＴＭＬ形式のデータ）に、算出した各数値を該当する位置に配置する。プロセッサ１０２は、数値配置後の表示用レイアウトデータと、事前にＨＤＤ１０４内に記憶されている画像イメージやアイコンデータとが含まれる分析レポートを作成する。
【００５４】
分析サーバ１０の通信Ｉ／Ｆ１０１は、作成された分析レポートを要求元であるＥＣＯ−ＭＦＰ２０に送信する（ＡＣＴ２０４）。
【００５５】
ＥＣＯ−ＭＦＰ２０の制御部２０１は、分析レポートを受信すると（ＡＣＴ１０３、Ｙｅｓ）、この分析レポートが表示部２１２で表示されるように表示部２１２を制御する。表示部２１２は、制御部２０１の制御に従い分析レポートを表示する（ＡＣＴ１０４）。
【００５６】
分析レポートは、表示部２１２上の「閉じる」ボタン（消去機３０の場合は「スタート」ボタン）が押されるまで、もしくはコピー、プリンタ等の各機能の実行イベントが発生するまで表示され続ける（ＡＣＴ１０５、ＮｏおよびＡＣＴ１０６、Ｎｏによるループ）。「閉じる」ボタンが押される（ＡＣＴ１０５、Ｙｅｓ）、もしくは実行イベントが発生する場合（ＡＣＴ１０６、Ｙｅｓ）、表示部２１２は、制御部２０１の制御に従い通常メニュー画面を表示する（ＡＣＴ１０７）。実行イベントが発生している場合、この実行イベントのジョブが完了した際には、処理はＡＣＴ１０２に戻る（ＡＣＴ１０８、Ｙｅｓ）。
【００５７】
尚、ＡＣＴ２１０は非同期で動作するとしたが、この表示処理と同期させた実装でもよい。この場合、ＡＣＴ２１０は分析レポート要求を受信した後（ＡＣＴ２０１、Ｙｅｓの後）に行われる。
【００５８】
図１１は、ＥＣＯ−ＭＦＰ２０でのユーザ認証画面例、およびユーザ認証後の分析レポート表示画面例を示している。ＥＣＯ−ＭＦＰ２０の電源がオンとなり、初期化が行われた後、表示部２１２は図１１上段に示す認証用の画面を表示する。ユーザがＩＤカードをＩＤカードリーダ２０９に近接させて認証処理を済ませると、ＥＣＯ−ＭＦＰ２０は、図１０のフローチャートに従い分析レポートを分析サーバ１０から取得し、表示部２１２は、取得された分析レポートを表示する（図１１下段）。表示部２１２は、図１１に示すように左側領域Ｒ１に当月分のＥＣＯ−ＭＦＰ２０でのシート削減率、両面印刷による削減率、Ｎｉｎ１による削減率、印刷枚数、ＣＯ２排出削減量の各数値を表示する。また表示部２１２は、各削減率について円グラフも表示する。
【００５９】
本実施形態では、ＣＯ２排出削減量の値は３段階に区分され、その区分に応じてキャラクターの画像データが表示される。ＣＯ２排出削減量が一定の閾値（ここでは第１閾値とする）を超えている場合、様気な顔を模した画像が表示され、第１閾値よりも小さい一定の閾値（ここでは第２閾値とする）を下回っている場合、寂しげな顔を模した画像が表示される。ＣＯ２排出削減量が第１閾値と第２閾値の間である場合は通常状態の顔を模した画像となる。このＣＯ２排出削減量の表示画像の選定は、分析サーバ１０のプロセッサ１０２が行い、選定された画像データが分析レポートデータに含まれて送信される。
【００６０】
また表示部２１２は、右側領域Ｒ２に消去機３０についての分析レポートを表示する。表示部２１２は、当月分のシート再利用率、再利用枚数、ＣＯ２排出削減量の各数値を表示し、シート再利用率については円グラフも表示する。また左側領域Ｒ１に表示されるＥＣＯ−ＭＦＰ２０の分析レポートと同様に、ＣＯ２排出削減量の値は３段階に区分され、その区分に応じてキャラクターの画像データが表示される。
【００６１】
表示部２１２は、中央付近の領域Ｒ３にＥＣＯ−ＭＦＰ２０のＣＯ２排出削減量（cprint）と消去機３０のＣＯ２排出削減量（creuse）との合算値（c）を表示する。
c = cprint+ creuse       （式１４）
分析サーバ１０のプロセッサ１０２がこの数値の合算を行い、合算値は表示レイアウト内の規定の位置に配置され、送信される。
【００６２】
表示部２１２は、継続的にこのシステムを利用してもらうため、印刷設定や再利用についてのアドバイスを領域Ｒ４に表示する。また表示部２１２は、当該ユーザの順位を領域Ｒ５に表示する。順位は、上位１〜９位までは星型の図形付きで、大きい文字で表示され、１０位以下は通常の文字で表示される。
【００６３】
表示部２１２は、順位の変化についての情報も表示する。順位変化は、先月の順位と当月の順位とが比較されることで、分析サーバ１０のプロセッサ１０２により導出され、ランクアップ、ランク変わらず、ランクダウンの３段階で表示される。尚、前日の順位と前々日の順位との比較でもよい。
【００６４】
表示部２１２は、次に「順位表」ボタンＢ１がユーザにより押される場合、登録されているユーザの順位表を表示し（不図示）、「詳細」ボタンＢ２が押下される場合、表示部２１２は、図１２に示すＥＣＯ−ＭＦＰ２０の集計の詳細な内訳を表示する。図１２の例では、ＥＣＯ−ＭＦＰ２０機体自体の詳細内訳であるが、ユーザ単位ごとの集計値が表示されてもよい。
【００６５】
また表示部２１２は、図１１の「閉じる」ボタンＢ３がユーザにより押される場合、図１３に示す通常のメニュー画面（図１３の例はコピー用のメニュー画面）を表示する。
【００６６】
次に、消去機３０の表示部３１２で表示される画面例を図１４Ａ〜図１６Ｂに示す。
【００６７】
表示部３１２は、まず認証用画面を表示する（図１４Ａ）。この認証用画面は、消去機３０の電源がオンとなり、初期化が行われた後に表示される。この画面では、ＩＤカードをＩＤカードリーダ３０９に近づけるように示唆するメッセージが表示され、またユーザＩＤ、パスワードの入力を受け付けるフォームが表示される。このユーザＩＤ、パスワードの入力画面を、ＥＣＯ−ＭＦＰ２０の表示部２１２が表示してもよい。
【００６８】
ユーザ認証が完了した場合、次に消去機３０の表示部３１２は、待ち受け画面として、図１１に示した分析レポート画面と同じ内容の画面を表示する（図１４Ｂ参照）。図１１と同様であるため、この画面の詳細説明は割愛する。ここで「スタート」ボタンＢ４が押されると、消去機３０は消去処理を開始する。この際、表示部３１２は図１４Ｃに示すように、消去対象のシートの枚数および消去によって生ずるＣＯ２排出削減量の各数値をリアルタイムで表示する。消去処理が完了した場合、表示部３１２は、図１４Ｄに示すように再利用可能となったシート枚数（リユース判定部３０８で良好と判定された枚数）、リジェクト枚数（リユース判定部３０８で不良と判定された枚数）を表示し、再利用率の数値、再利用率についての円グラフ、および今回の処理によって生ずるＣＯ２排出削減量も表示する。また表示部３１２は、下側欄にリジェクトの内訳（消し残し枚数、折れ／破れ枚数、残留物枚数）を表示する。尚、図１４Ｃに示すリアルタイムのＣＯ２排出削減量や図１４Ｄに示すリユース率、ＣＯ２排出削減量は、消去機３０内部で算出されるものとしてもよく、分析サーバ１０に算出を委託してもよい。
【００６９】
尚、図１４Ｃに示す「停止」ボタンＢ５が押される場合は図１４Ｂの画面に遷移し、図１４Ｄの「スタート」ボタンＢ６が押される場合は図１４Ｃの画面に遷移する。図１４Ｄの「終了」ボタンＢ７が押された場合は図１４Ｂの画面に遷移する。
【００７０】
次に、図１４Ｂの「リユース率」ボタンＢ８、「リジェクト状況」ボタンＢ９、「ログ」ボタンＢ１０が押された際に表示される画面を、図１５Ａ〜図１５Ｃに示す。
【００７１】
「リユース率」ボタンＢ８が押された場合、表示部３１２は、月ごとのリユース枚数とリユース率、リジェクト枚数とリジェクト率を棒グラフで表示する（図１５Ａ参照）。この表示は、ユーザ単位での表示でもよいし、消去機３０のトータル数でもよい。表示される各数値は、消去機３０が分析サーバ１０に問い合わせてデータを取得してもよく、消去機３０の制御部３０１が集計、算出してもよい。
【００７２】
「リジェクト状況」ボタンＢ９が押された場合、図１５Ｂに示すように、表示部３１２は最近１カ月のリジェクト状況について、その内訳と、アドバイスのメッセージを表示する。表示部３１２は、消し残り、折れ／破れ、残留物について、月単位の発生件数をそれぞれ表示し、アドバイスメッセージを表示する。アドバイスメッセージは複数用意されている。またリジェクトの種別ごとに１つまたは複数の閾値が事前に設けられており、この閾値を超えたか否かの判定により、表示されるメッセージが異なる。
【００７３】
「ログ」ボタンＢ１０が押される場合、表示部３１２は、消去処理が実施されたジョブごとに、日時、処理対象枚数（基準枚数）、リユース枚数、リジェクト枚数、リユース率、ＣＯ２排出削減量の値を表示する。表示される各数値は、消去機３０が分析サーバ１０に問い合わせてデータを取得してもよく、消去機３０の制御部３０１が算出してもよい。
【００７４】
図１６Ａは、図１４Ｂに示す「レベル設定」ボタンＢ１１が押下されたときに表示される、消し残し、折れ／破れのレベル（閾値）を設定する画面例である。また図１６Ｂは、図１４Ｂに示す「読み込み設定」ボタンＢ１２が押されるときに表示される、シート読み込み時の設定画面例である。
【００７５】
消し残し、折れ／破れのレベル設定は、消し残しや折れ／破れの許容レベルを設定するための画面であり、それぞれの閾値は、図１６Ａに示すスライダーバーが操作されることで設定される。
【００７６】
読み込み時の設定（図１６Ｂ参照）は、処理対象シートの原稿サイズ、トナーの色の別（カラー／グレースケール／白黒）、片面／両面の別、原稿像の向きについての情報が入力される。またユーザは、図１６Ｂの画面を用いて消去前の原稿像を画像データとして保存するか否かの設定（データ保存）、トナー像を消去するか否かの設定（消去）、リユースシート、リジェクトシートを、リユースシートスタックカセット３０４、リジェクトシートスタックカセット３０５に分別して蓄積するか否かの設定（分別）を指定することができる。また、データを保存する場合は、そのファイル形式も指定できる。
【００７７】
尚、図１１の下図、図１２、図１５Ａ〜図１５Ｃの各図に示す分析レポートの内容を、ＥＣＯ−ＭＦＰ２０がシート上に印刷してもよい。また上記各図のレポート表示画面と同様の画面を、クライアント端末機５０Ａ〜５０Ｎのディスプレイが表示してもよい。また、上記各図のレポートを、所定フォーマットの電子データにする実装でもよい。
【００７８】
本実施形態は、図１１や図１４Ａ、図１４Ｂを用いて説明したように、ユーザのログイン直後にＣＯ２排出削減量等の分析レポートをユーザに提示する。ボタンを複数回操作して初めて分析レポートが表示される場合、ユーザは当該画面を積極的に見に行く必要がある。これでは環境意識の高いユーザしか当該画面を見ず、意識の低いユーザはレポート画面を見に行かないため、意識の低いユーザへの注意喚起にはならない。本実施形態のように、ＥＣＯ−ＭＦＰ２０のコピー、プリンタ等の各機能や、消去機３０の消去機能を使用させる前に、分析レポートをユーザに提示することで、ユーザは確実に当該画面を見ることになる。これにより、環境影響に関して意識の低いユーザに対してもシート削減への取り組みを促すことができる。
【００７９】
また本実施形態では、ＥＣＯ−ＭＦＰ２０、消去機３０での削減に関する情報を、同時に１つの画面で表示し、またこれら装置での削減量を合算した値も表示する。これにより、ユーザは、１つの画面で、シートの使用から再生、リジェクトまで、シートのライフサイクルでの削減量を総合的に知ることができる。
【００８０】
（第２の実施形態）
図１７は、第２の実施形態に係るシステム構成例を示す図である。以下、第１の実施形態で既に説明した構成と同一構成についての説明は割愛する。
【００８１】
画像処理システム１Ａは、複数のＥＣＯ−ＭＦＰ２０Ａ〜２０Ｎ、複数の消去機３０Ａ〜３０Ｎ、複数のＭＦＰ４０Ａ〜４０Ｎを含み、またジョブ振分け装置６０（認証部）、ネットワーク監視装置７０を含む構成となっている。ＥＣＯ−ＭＦＰ２０Ａ〜２０Ｎは第１の実施形態で説明したＥＣＯ−ＭＦＰ２０と同様であり、消去機３０Ａ〜３０Ｎは、第１の実施形態で説明した消去機３０と同様である。
【００８２】
ＭＦＰ４０Ａ〜４０Ｎは、画像形成装置（ＭＦＰ）であり、そのハードウェア構成はＥＣＯ−ＭＦＰ２０と同じ構成であるが（図１参照）、使用するトナーの種類が異なっており、消去機３０Ａ〜３０Ｎでは消去することができないトナーを用いて印刷する。ＭＦＰ４０Ａ〜４０Ｎにおいても、ＥＣＯ−ＭＦＰ２０と同様に、ユーザからの入力を受け付け、プリントやコピーなどの動作を行った際のジョブに関する情報を動作ログとして出力し、またカウンタ情報を記憶する。その内容は第１の実施形態のＥＣＯ−ＭＦＰ２０と同様である（図４、図５Ａ〜図５Ｄ参照）。またＭＦＰ４０Ａ〜４０Ｎの表示部も第１の実施形態のＥＣＯ−ＭＦＰ２０と同様に、認証手続きが完了次第、認証用画面の後に分析レポートを表示する。
【００８３】
第２の実施形態では、クライアント端末機５０Ａ〜５０Ｎからのプリントジョブはジョブ振分け装置６０に送信される。ジョブ振分け装置６０は、プリントジョブを一次受けする装置であり、プリントジョブを受信し、ＥＣＯ−ＭＦＰ２０Ａ〜２０Ｎ、ＭＦＰ４０Ａ〜４０Ｎのいずれかに当該プリントジョブを送信する。ジョブ振分け装置６０は、プロセッサ、ＲＡＭ、ＨＤＤ、通信Ｉ／Ｆを有するコンピュータである。またジョブ振分け装置６０のＨＤＤには、ユーザＩＤやパスワード等のユーザ認証用のデータやプログラムが事前に記憶されている。ジョブ振分け装置６０は、このように実装されたデータやプログラムを用いてユーザの認証を行う。
【００８４】
プリント出力に至るまでの手順は、以下の通りである。まずジョブ振分け装置６０は、クライアント端末機５０Ａ〜５０ＮからプリントジョブおよびユーザＩＤを受信し、これらを自己のＨＤＤに一時記憶する。ユーザは、ＥＣＯ−ＭＦＰ２０Ａ〜２０ＮおよびＭＦＰ４０Ａ〜４０Ｎのうち、プリント出力させたい装置まで行き、ＩＤカードをＩＤカードリーダに近接させ、もしくはユーザＩＤ、パスワードを入力する。ユーザＩＤを受け付けた画像形成装置は、ユーザＩＤをジョブ振分け装置６０に送信する。ジョブ振分け装置６０は、送信されたユーザＩＤについての認証処理を行い、良好な結果である場合は、クライアント端末機５０Ａ〜５０Ｎから送信された、当該ユーザのプリントジョブをユーザＩＤ送信元の画像形成装置に送信し、プリント出力が行われる。
【００８５】
画像処理システム１Ａの分析サーバ１０は、ジョブ振分け装置６０のユーザ認証により、ＥＣＯ−ＭＦＰ２０Ａ〜２０ＮおよびＭＦＰ４０Ａ〜４０Ｎの利用者を特定することができるため、ユーザ毎の環境負荷削減量の分析レポートを送信することができる。また分析サーバ１０は、同様の仕組みで、ＩＤカードリーダなどの認証受け付け部や、ユーザＩＤとパスワードの入力受け付け部を有する消去機３０Ａ〜３０Ｎに対しても、ユーザ毎の環境負荷削減量の分析レポートを送信することができる。
【００８６】
ネットワーク監視装置７０は、ＥＣＯ−ＭＦＰ２０Ａ〜２０Ｎの動作ログやカウンタ情報、消去機３０Ａ〜３０Ｎの動作ログやカウンタ情報、ＭＦＰ４０Ａ〜４０Ｎの動作ログやカウンタ情報を、例えば１０分間隔で定期的に各装置に問い合わせて取得し、自己の記憶部に記憶する。もしくは各装置から定期的に送信される動作ログ等を取得して自己の記憶部に記憶する。ネットワーク監視装置７０はコンピュータであり、分析サーバ１０と同様にプロセッサ、ＲＡＭ、ＨＤＤ、通信Ｉ／Ｆを有する構成となる。
【００８７】
分析サーバ１０は、定期的に、またはネットワーク監視装置７０からの通知イベントにより、ネットワーク監視装置７０から動作ログ、カウンタ情報を受信して、ログＤＢ１０６に記憶する。また分析サーバ１０は、ログＤＢ１０６に蓄積されているデータに基づき、環境負荷削減量の分析処理を実行する。この実行結果は分析結果ＤＢ１０５に記憶される。
【００８８】
尚、分析サーバ１０の機能の一部もしくは全部は、ネットワーク監視装置７０に実装されてもよく、ネットワーク監視装置７０の機能の一部もしくは全部は、分析サーバ１０に実装されてもよい。
【００８９】
（第３の実施形態）
図１８は、第３の実施形態に係るシステム構成例を示す図である。第３の実施形態は、上記第２の実施形態の変形例であり、基本的な構成は同じである。以下、第１、第２の実施形態で既に説明した構成については、説明を割愛する。
【００９０】
画像処理システム１Ｂの分析サーバ１０は、ＷＡＮ７００（ＷＡＮ：Wide Area Network）を介してＬＡＮ６００と接続されている。ＷＡＮ７００とＬＡＮ６００との間には、ファイアウォール８０が備えられている。ファイアウォール８０は、送受信する機器のＩＰアドレスやポート番号を監視し、ＷＡＮ７００とＬＡＮ６００との間でのデータパケットの流れを制御する。
【００９１】
ＥＣＯ−ＭＦＰ２０Ａ〜２０Ｎ、消去機３０Ａ〜３０Ｎ、およびＭＦＰ−４０Ａ〜４０Ｎは、分析サーバ１０にデータを送信できる場合は、動作ログ、カウンタ情報を直接送信する。直接通信できない場合、ＥＣＯ−ＭＦＰ２０Ａ〜２０Ｎ、消去機３０Ａ〜３０Ｎ、およびＭＦＰ−４０Ａ〜４０Ｎは、ネットワーク監視装置７０に動作ログ、カウンタ情報を送信し、ネットワーク監視装置７０が、これらデータを分析サーバ１０に送信する。
【００９２】
分析サーバ１０へはＷＡＮ７００を介してデータが送信されるため、ＷＡＮ７００の帯域幅が狭い場合やセキュリティ上の関係で、全ての動作ログ、カウンタ情報を送信できない場合もある。この場合は、ネットワーク監視装置７０がデータを集約する実装でもよい。また送受信の頻度を、例えば１日１回や週に１回程度に下げる実装でもよい。
【００９３】
上記各実施形態では、ＣＯ２排出削減量を環境負荷削減量として説明したが、これ以外にも、例えばオゾン層破壊や酸性化等、その他の環境問題で使用される指標値を環境負荷削減量としてもよい。また上記各実施形態では、シートの使用枚数や像形成時の印刷設定によるシート削減率、シート再利用枚数やシート再利用率などを用いて環境負荷削減量（ＣＯ２排出削減量）を算出したが、像形成時のシート削減率や消去機のシート再利用枚数、再利用率の各数値をそのまま環境負荷削減量とする実装でもよい。
【００９４】
また上記各実施形態では、ＥＣＯ−ＭＦＰ２０（２０Ａ〜２０Ｎも含む）、消去機３０（３０Ａ〜３０Ｎも含む）、ＭＦＰ−４０Ａ〜４０Ｎの全ての装置が分析レポートを表示するものとして説明したが、ＥＣＯ−ＭＦＰ２０、消去機３０のいずれか一方など、一部の装置のみが表示する実装でもよい。
【００９５】
以上に詳述したように、この明細書に記載の技術によれば、画像形成装置と消去機のそれぞれの削減量を表示できるため、より的確な環境負荷削減量をユーザに提示できる。
【００９６】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００９７】
１、１Ａ、１Ｂ  画像処理システム、１０  分析サーバ、２０、２０Ａ〜２０Ｎ  ＥＣＯ−ＭＦＰ、３０、３０Ａ〜３０Ｎ  消去機、４０Ａ〜４０Ｎ  ＭＦＰ、５０Ａ〜５０Ｎ  クライアント端末機、６０  ジョブ振分け装置、７０  ネットワーク監視装置、８０  ファイアウォール、１０１  通信Ｉ／Ｆ、１０２  プロセッサ、１０３  ＲＡＭ、１０４  ＨＤＤ、１０５  分析結果ＤＢ、１０６  ログＤＢ、２１２、３１２  表示部、２０９、３０９  ＩＤカードリーダ。
【図１】
0005763015.tif 000002
【図２】
0005763015.tif 000003
【図３】
0005763015.tif 000004
【図４】
0005763015.tif 000005
【図５】
0005763015.tif 000006
【図６】
0005763015.tif 000007
【図７】
0005763015.tif 000008
【図８】
0005763015.tif 000009
【図９】
0005763015.tif 000010
【図１０】
0005763015.tif 000011
【図１１】
0005763015.tif 000012
【図１２】
0005763015.tif 000013
【図１３】
0005763015.tif 000014
【図１４】
0005763015.tif 000015
【図１５】
0005763015.tif 000016
【図１６】
0005763015.tif 000017
【図１７】
0005763015.tif 000018
【図１８】
0005763015.tif 000019